(57)【要約】【課題】  紙容器の構造の強度を向上させて使用寿命を延長させ、編織面を具備する紙容器の組み立て及び加工を便利にし、板裁断縁の美観を向上させることができる紙容器の編織面を具備する板主体の縁構造を提供することを目的とする。【解決手段】  本考案は紙容器の編織面を具備する板主体の縁構造の構造を提供するもので、紙板表面に編織層を貼り付けた板主体からなる紙容器の上記板主体の裁断縁に、縁縫線を縫い付け、上記編織層を上記紙板上に強固に縫い付ける構成とされる。【選択図】  図１
0003102654.tif 000002
【実用新案登録請求の範囲】
【請求項１】
紙板表面に編織層を貼り付けた板主体からなる紙容器の上記板主体の裁断縁に、縁縫線を縫い付け、上記編織層を上記紙板上に強固に縫い付けることを特徴とする紙容器の編織面を具備する板主体の縁構造。
【請求項２】
上記板主体の上記裁断縁に縁包体を被せ、縫線を上記縁包体上から上記板主体に貫通させ、上記編織層と上記紙板と上記縁包体とを縫い合わせて固定させることを特徴とする請求項１記載の紙容器の編織面を具備する板主体の縁構造。
【請求項３】
相対する上記板主体の上記裁断縁を縫い合わせる場合、直接２つの上記裁断縁を相対させ、接合縫線を強固に縫い付けることを特徴とする請求項１又は２記載の紙容器の編織面を具備する板主体の縁構造。
【請求項４】
上記板主体の縁端に折り縁端を予設して、上記縁端と上記折り縁端とが重なるように折り、折り合わせ位置に縫線を上記板主体の上記縁端上から上記折り縁端に貫通させ、上記縁端と上記折り縁端とを縫い合わせ固定させることを特徴とする請求項１乃至３いずれか一項記載の紙容器の編織面を具備する板主体の縁構造。
【考案の詳細な説明】
【技術分野】
【０００１】
本考案は紙容器の編織面を具備する板主体の縁構造に係るものであり、特に、編織層と紙板とからなる板主体の裁断縁に縁縫線を縫い付け、編織層を紙板上に縫い付けた紙容器の編織面を具備する板主体の縁構造に係るものである。
【背景技術】
【０００２】
従来のオフィス用収納容器に使用される板は、合板、繊維板等の木質材料を板の形に製成されることで、各種の容器の板として組み立てられて使用されている。しかしながら、使用される木材は森林から伐採される木材に依存しており、伐採のし過ぎにより、日々森林資源の不足に直面している。一方、古い容器を新しい容器に買い換える時、不用になった木質の容器はリサイクルされずに、廃棄され、環境、生態上の負担となり、環境保護の意識が高まっている現代社会の要求に符合しない。従って、リサイクルができ、組み立てが簡単で、環境保護効果を大幅に高めることができる一種の環境保護収納容器の開発が関係業界で進められているが、強度の点と美観の点で問題があり、更なる改善が求められている。
【考案の開示】
【考案が解決しようとする課題】
【０００３】
しかしながら、従来の紙容器において、裁断縁の縁処理形態が理想的ではないため、裁断縁の強度が不充分であり、紙容器全体の構造の強度も不充分であり、使用寿命が短くなってしまうという問題点があった。また、従来の紙容器の組立てや加工が不便であり、裁断縁の状態が良くないため、紙容器全体の美観を損なってしまうという問題点があった。
【０００４】
従って、本考案は、紙容器の構造の強度を向上させて使用寿命を延長させ、編織面を具備する紙容器の組み立て及び加工を便利にし、板裁断縁の美観を向上させることができる紙容器の編織面を具備する板主体の縁構造を提供することを目的とする。
【課題を解決するための手段】
【０００５】
前記の目的を図るために、請求項１に記載されるように、本考案は、紙板表面に編織層を貼り付けた板主体からなる紙容器の上記板主体の裁断縁に、縁縫線を縫い付け、上記編織層を上記紙板上に強固に縫い付けることにより、紙容器の構造の強度を向上させて使用寿命を延長させ、編織面を具備する紙容器の組み立て及び加工を便利にし、板裁断縁の美観を向上させることができる。
【０００６】
前記の目的を図るために、請求項２に記載されるように、本考案は、上記板主体の上記裁断縁に縁包体を被せ、縫線を上記縁包体上から上記板主体に貫通させ、上記編織層と上記紙板と上記縁包体とを縫い合わせて固定させることにより、紙容器の構造の強度を向上させて使用寿命を延長させ、編織面を具備する紙容器の組み立て及び加工を便利にし、板裁断縁の美観を向上させることができる。
【０００７】
前記の目的を図るために、請求項３に記載されるように、本考案は、相対する上記板主体の上記裁断縁を縫い合わせる場合、直接２つの上記裁断縁を相対させ、接合縫線を強固に縫い付けることにより、紙容器の構造の強度を向上させて使用寿命を延長させ、編織面を具備する紙容器の組み立て及び加工を便利にし、板裁断縁の美観を向上させることができる。
【０００８】
前記の目的を図るために、請求項４に記載されるように、本考案は、上記板主体の縁端に折り縁端を予設して、上記縁端と上記折り縁端とが重なるように折り、折り合わせ位置に縫線を上記板主体の上記縁端上から上記折り縁端に貫通させ、上記縁端と上記折り縁端とを縫い合わせ固定させることにより、紙容器の構造の強度を向上させて使用寿命を延長させ、編織面を具備する紙容器の組み立て及び加工を便利にし、板裁断縁の美観を向上させることができる。
【考案の効果】
【０００９】
本考案の紙容器の編織面を具備する板主体の縁構造において、紙板表面に編織層を貼り付けた板主体からなる紙容器の上記板主体の裁断縁に、縁縫線を縫い付け、上記編織層を上記紙板上に強固に縫い付けることにより、紙容器の構造の強度を向上させて使用寿命を延長させ、編織面を具備する紙容器の組み立て及び加工を便利にし、板裁断縁の美観を向上させることができる。
【考案を実施するための最良の形態】
【００１０】
以下に添付図面を参照して本考案のある好適な実施の形態を詳細に説明するが、それらの構成は本考案の構造の絶対的な制限にならない。
【００１１】
図１は、本考案の第１実施例に係る紙容器の編織面を具備する板主体の構造を示す分解斜視図である。図２は、本考案の第１実施例に係る板主体の一部を示す斜視図である。図３は、本考案の第１実施例に係る板主体の一部を示す断面図である。図４は、本考案の第２実施例に係る板主体の一部を示す断面図である。図５は、本考案の第２実施例に係る板主体を示す分解斜視図である。図６は、本考案の第３実施例に係る板主体の縁包体を示す斜視図である。図７は、本考案の第４実施例に係る板主体の組合わせを示す斜視図である。
【００１２】
図１、２、３に示す本考案の編織面を具備する紙容器の板主体１０の縁構造において、板主体１０は紙板１２表面に編織層１１を貼り付け、容器形式に合わせて予設形状に裁断した構造である。板主体１０の構造は美観と使用者の要求によって、紙板１２表面に編織層１１が貼り付けられる。或いは、図４、５に示すように、紙板１２両面に編織層１１を貼り付けたりすることができる。
【００１３】
主に、編織層１１と紙板１２とからなる板主体１０の裁断縁１３に縁縫線１４を縫い付け、編織層１１を紙板１２上にしっかりと縫い付ける。これにより、板主体１０の裁断縁１３の強度を増加させ、板主体１０の裁断縁１３の美観を向上させることができる。
【００１４】
また、図６に示すように、板主体１０の裁断縁１３に縁包体１５を被せ、縫線１６を縁包体１５上から板主体１０に貫通させ、編織層１１と紙板１２と縁包体１５とを縫い合わせ固定させる。これにより、更に板主体１０の裁断縁１３の強度を増加させることができ、板主体１０の裁断縁１３の美観を向上させることができる。
【００１５】
また、相対する板主体１０の裁断縁１３を縫い合わせる場合、図７に示すように、直接２つの裁断縁１３を相対させ、接合縫線１７をしっかりと縫い付ける。これにより、板主体１０の裁断縁１３の強度を増加させ、板主体１０の裁断縁１３の美観を向上させることができる。
【００１６】
図８は、本考案の第５実施例に係る板主体の折り縁端を示す斜視図である。図９は、本考案の第６実施例に係る板主体の折り縁端を示す斜視図である。図８、９に示すように、容器形式に合わせて予設形状に裁断した板主体１０は、板主体１０の縁端１８に折り縁端１９を予設してもよい。縁端１８と折り縁端１９とが重なるように折り、折り合わせ位置に縫線１６を板主体１０の縁端１８上から折り縁端１９に貫通させる。縁端１８と折り縁端１９とを縫い合わせ固定させる。これにより、更に板主体１０の縁端１８の強度を増加させることができ、板主体１０の縁端１８の美観を向上させることができる。
【００１７】
このような構造において、紙板１２表面に編織層１１を貼り付ける板主体１０は、板主体１０の裁断縁１３に縁縫線１４を縫い付ける方法、又は板主体１０の裁断縁１３に縁包体１５を被せ縫線１６を縫い付ける方法、又は板主体１０の縁端１８と折り縁端１９とが重なるように折り、縁端１８と折り縁端１９とを縫い合わせる方法のいずれかの方法を使用する。上記方法によって編織層１１と紙板１２とを縫い合わせることにより、編織層１１周縁のほぐれ、或は紙板１２のはがれを防止でき、更に編織層１１と紙板１２との分離を妨ぐことができ、板主体１０の裁断縁１３の強度を増加させることができ、板主体１０の裁断縁１３の美観を向上させることができる。
【００１８】
図１０は、本考案の第７実施例に係る板主体の雑誌箱を示す分解斜視図である。図１１は、本考案の第７実施例に係る板主体の雑誌箱を示す斜視図である。図１２は、本考案の第８実施例に係る板主体の雑誌箱を示す分解斜視図である。図１３は、本考案の第８実施例に係る板主体の雑誌箱を示す斜視図である。
【００１９】
編織層１１と紙板１２とからなる板主体１０は、図１０、１１、１２、１３に示すように、雑誌箱を形成することも可能である。更に、雑誌箱の縁端に金属縁包体２１と角当て２２を設置してもよい。板主体１０は裁断縁１３に縁縫線１４を縫い付けるか、或は縫線１６で縁包体１５を具備させる。或は縁端１８に折り縁端１９を具備させるかを雑誌箱の組み立て方式の違いにより選択することができる。
【００２０】
図１４は、本考案の第９実施例に係る板主体のティッシュケースを示す分解斜視図である。図１５は、本考案の第９実施例に係る板主体のティッシュケースを示す斜視図である。図１６は、本考案の第１０実施例に係る板主体のティッシュケースを示す分解斜視図である。図１７は、本考案の第１０実施例に係る板主体のティッシュケースを示す斜視図である。また、編織層１１と紙板１２とからなる板主体１０は、図１４、１５、１６、１７に示すようにティッシュケースを形成することもできる。
【００２１】
図１８は、本考案の第１１実施例に係る板主体のファイル整理箱を示す分解斜視図である。図１９は、本考案の第１１実施例に係る板主体のファイル整理箱を示す斜視図である。図２０は、本考案の第１１実施例に係る板主体のファイル整理箱の使用例を示す斜視図である。図２１は、本考案の第１２実施例に係る板主体のファイル整理箱を示す分解斜視図である。図２２は、本考案の第１２実施例に係る板主体のファイル整理箱を示す斜視図である。図２３は、本考案の第１３実施例に係る板主体の文房具整理箱を示す斜視図である。
【００２２】
図１８、１９、２０、２１、２２に示すようにファイル整理箱を構成してもよい。或いは図２３に示すように文房具整理箱でもよく、各種オフィス用収納容器は、板主体１０の裁断縁１３に縁縫線１４が縫い付けられる。或いは縫線１６で縁包体１５を具備させ、縁端１８に折り縁端１９を具備させる。これにより、ティッシュケース、ファイル整理箱、文房具整理箱等の組み立て方式を実施することができる。更に、箱の縁端に金属縁包体２１と角当て２２を設置することにより、板主体１０の縁端１８の強度を増加させることができる。編織面を具備する紙容器の組み立て及び加工を簡単にし、紙容器の構造を強化させ、使用寿命を延長させることができる。
【００２３】
図２４は、本考案の第１４実施例に係る板主体のペン立てを示す斜視図である。図２５は、本考案の第１５実施例に係る板主体の収納箱を示す斜視図である。図２６は、本考案の第１６実施例に係る板主体の収納箱を示す斜視図である。図２７は、本考案の第１６実施例に係る板主体の一部を示す斜視図である。図２８は、本考案の第１６実施例に係る板主体の収納箱を示す平面図である。図２９は、本考案の第１６実施例に係る板主体の収納箱を圧縮して体積を減少させる場合を示す斜視図である。
【００２４】
また、図２４、２５に示すように、円筒状ペン立て或は収納箱を形成することもでき、主に編織層１１と紙板１２とからなる板主体１０の２つの相対する裁断縁１３に接合縫線１７を縫い付け、板主体１０の裁断縁１３を強化させると同時に美観を向上させることができる。
【００２５】
また、図２６は板主体収納箱のもう１つの実施例で、板主体１０の編織層１１と紙板１２の周縁にＵ型断面の布縁３０を被せ、縫い合わせる。また、図２７に示すように、相対する各布縁３０の接触部分を縫線３１により縫合する。収納箱の底に１つの布３２を設置し、布３２の周縁を板主体１０に縫い合わせることにより収納箱を形成することができる。布３２の対角線に１つのファスナー３３を設置する。図２９に示すように、ファスナー３３をあけることにより、１つの対角線方向に抵抗力がなくなり、広げることができる為、収納箱の形状を圧縮することができ、体積を減少させることができる為、商品搬送の効率化をはかることができる。また、布３２を底とする収納箱は、内部に硬紙板３４を入れてもよく、また、仕切り板３５により収納箱の収納空間を間仕切りすることもできる。
【００２６】
図３０は、本考案の第１７実施例に係る板主体の円筒状収納箱を示す斜視図である。図３１は、本考案の第１７実施例に係る板主体の円筒状収納箱を示す断面図である。図３０、３１は本考案の円筒状収納箱の応用実施例で、筒身になる板主体１０の底側内壁に１つの環状の内紙板４０を設置し、板主体１０底部と内紙板４０に布縁４１を被せ、縫合することにより、１つの環状の底支面４２を形成することができる。底支面４２上に１つの底板５１を組み付けることもできる。蓋も同じ構造で、蓋になる板主体１０の、底側内壁に１つの環状の内紙板４０を設置し、板主体１０底部と内紙板４０に布縁４１を被せ、縫合する。これにより、１つの環状の上支面４３を形成することができ、上支面４３上に１つの上板５２を組み付けることもできる。上記構造により、筒身と蓋を形成することができる。
【００２７】
従って、本考案において、編織層１１と紙板１２とからなる板主体１０により、各種の紙容器を容易に組み立てることができると共に、リサイクルができ、組み立てが簡単で、環境保護効果を大幅に高めることができる。
【００２８】
また、板主体１０の裁断縁１３に縁縫線１４を縫い付けることにより、即ち、編織層１１と紙板１２との縁端部を縫い合わせることにより、編織層１１周縁のほぐれ或は紙板１２のはがれを防止でき、更に編織層１１と紙板１２との分離を妨ぐことができる。
【００２９】
また、板主体１０の裁断縁１３に縁縫線１４を縫い付ける方法により、板主体１０の裁断縁１３の強度を増加させることができ、板主体１０の裁断縁１３の美観を向上させることができる。
【００３０】
また、板主体１０の裁断縁１３に縁包体１５を被せ縫線１６を縫い付ける方法により、板主体１０の裁断縁１３の強度を増加させることができ、板主体１０の裁断縁１３の美観を向上させることができる。
【００３１】
また、板主体１０の縁端１８に折り縁端１９を予設し、縁端１８と折り縁端１９とが重なるように折り、縁端１８と折り縁端１９とを縫い合わせる方法により、編織層１１周縁のほぐれ、或は紙板１２のはがれを防止でき、更に編織層１１と紙板１２との分離を妨ぐことができ、板主体１０の裁断縁１３の強度を増加させることができ、板主体１０の裁断縁１３の美観を向上させることができる。
【００３２】
また、各種オフィス用収納容器は、板主体１０の裁断縁１３に縁縫線１４を縫い付け、或は縫線１６で縁包体１５を具備させ、或は縁端１８に折り縁端１９を具備させることにより、ティッシュケース、ファイル整理箱、文房具整理箱等の組み立て方式を実施することができる。
【００３３】
また、編織層１１と紙板１２とからなる板主体１０の２つの相対する裁断縁１３に接合縫線１７を縫い付け、板主体１０の裁断縁１３を強化させると同時に美観を向上させることができる。
【００３４】
尚、本考案の紙容器の編織面を具備する板主体の縁構造は上記の構成や形状に限定されることなく、本考案の紙容器の編織面を具備する板主体の縁構造を変形及び改良した構成においても適応可能である。
【図面の簡単な説明】
【００３５】
【図１】本考案の第１実施例に係る紙容器の編織面を具備する板主体の構造を示す分解斜視図である。
【図２】本考案の第１実施例に係る板主体の一部を示す斜視図である。
【図３】本考案の第１実施例に係る板主体の一部を示す断面図である。
【図４】本考案の第２実施例に係る板主体の一部を示す断面図である。
【図５】本考案の第２実施例に係る板主体を示す分解斜視図である。
【図６】本考案の第３実施例に係る板主体の縁包体を示す斜視図である。
【図７】本考案の第４実施例に係る板主体の組合わせを示す斜視図である。
【図８】本考案の第５実施例に係る板主体の折り縁端を示す斜視図である。
【図９】本考案の第６実施例に係る板主体の折り縁端を示す斜視図である。
【図１０】本考案の第７実施例に係る板主体の雑誌箱を示す分解斜視図である。
【図１１】本考案の第７実施例に係る板主体の雑誌箱を示す斜視図である。
【図１２】本考案の第８実施例に係る板主体の雑誌箱を示す分解斜視図である。
【図１３】本考案の第８実施例に係る板主体の雑誌箱を示す斜視図である。
【図１４】本考案の第９実施例に係る板主体のティッシュケースを示す分解斜視図である。
【図１５】本考案の第９実施例に係る板主体のティッシュケースを示す斜視図である。
【図１６】本考案の第１０実施例に係る板主体のティッシュケースを示す分解斜視図である。
【図１７】本考案の第１０実施例に係る板主体のティッシュケースを示す斜視図である。
【図１８】本考案の第１１実施例に係る板主体のファイル整理箱を示す分解斜視図である。
【図１９】本考案の第１１実施例に係る板主体のファイル整理箱を示す斜視図である。
【図２０】本考案の第１１実施例に係る板主体のファイル整理箱の使用例を示す斜視図である。
【図２１】本考案の第１２実施例に係る板主体のファイル整理箱を示す分解斜視図である。
【図２２】本考案の第１２実施例に係る板主体のファイル整理箱を示す斜視図である。
【図２３】本考案の第１３実施例に係る板主体の文房具整理箱を示す斜視図である。
【図２４】本考案の第１４実施例に係る板主体のペン立てを示す斜視図である。
【図２５】本考案の第１５実施例に係る板主体の収納箱を示す斜視図である。
【図２６】本考案の第１６実施例に係る板主体の収納箱を示す斜視図である。
【図２７】本考案の第１６実施例に係る板主体の一部を示す斜視図である。
【図２８】本考案の第１６実施例に係る板主体の収納箱を示す平面図である。
【図２９】本考案の第１６実施例に係る板主体の収納箱を圧縮して体積を減少させる場合を示す斜視図である。
【図３０】本考案の第１７実施例に係る板主体の円筒状収納箱を示す斜視図である。
【図３１】本考案の第１７実施例に係る板主体の円筒状収納箱を示す断面図である。
【符号の説明】
【００３６】
１０          板主体
１１          編織層
１２          紙板
１３          裁断縁
１４          縁縫線
１５          縁包体
１６          縫線
１７          接合縫線
１８          縁端
１９          折り縁端
２１          金属縁包体
２２          角当て
３０          布縁
３１          縫線
３２          布
３３          ファスナー
３４          硬紙板
３５          仕切り板
４０          内紙板
４１          布縁
４２          底支面
４３          上支面
５１          底板
５２          上板
【図１】
0003102654.tif 000003
【図２】
0003102654.tif 000004
【図３】
0003102654.tif 000005
【図４】
0003102654.tif 000006
【図５】
0003102654.tif 000007
【図６】
0003102654.tif 000008
【図７】
0003102654.tif 000009
【図８】
0003102654.tif 000010
【図９】
0003102654.tif 000011
【図１０】
0003102654.tif 000012
【図１１】
0003102654.tif 000013
【図１２】
0003102654.tif 000014
【図１３】
0003102654.tif 000015
【図１４】
0003102654.tif 000016
【図１５】
0003102654.tif 000017
【図１６】
0003102654.tif 000018
【図１７】
0003102654.tif 000019
【図１８】
0003102654.tif 000020
【図１９】
0003102654.tif 000021
【図２０】
0003102654.tif 000022
【図２１】
0003102654.tif 000023
【図２２】
0003102654.tif 000024
【図２３】
0003102654.tif 000025
【図２４】
0003102654.tif 000026
【図２５】
0003102654.tif 000027
【図２６】
0003102654.tif 000028
【図２７】
0003102654.tif 000029
【図２８】
0003102654.tif 000030
【図２９】
0003102654.tif 000031
【図３０】
0003102654.tif 000032
【図３１】
0003102654.tif 000033